(57)【要約】  【課題】  配線器具器具取付けボックスの壁材への設置を効率よく行えるようにする。  【解決手段】家屋等の建築構造物の間仕切り壁や壁を構成する壁パネルに形成した配線器具取付け孔に装着固定される配線器具取付けボックスである。前面を開放状に形成した箱形のボックス本体部分(１)と、このボックス本体部分(１)の前面開口部を構成している周側壁の対向部分に組み込まれている挟持片(４)を具備しており、挟持片(４)は、ボックスの側壁面から進出する姿勢とボックスの側壁面内に退入する姿勢とに切換可能かつ、側壁面に沿って前後移動可能に前記側壁部分に組み込んである。ボックス本体部分(１)に装着した配線器具と挟持片とを器具取付け用ねじ(13)で連結し、器具取付け用ねじ(13)の作動でボックス本体部分(１)を壁パネルに固定する。【選択図】    図１
2017079494.tif 000002
【特許請求の範囲】
【請求項１】
家屋等の建築構造物の間仕切り壁や壁を構成する壁パネル(Ｐ)に形成した配線器具取付け孔(Ｈ)に装着固定される配線器具取付けボックスであって、
前面を開放状に形成した箱形のボックス本体部分(１)と、このボックス本体部分(１)の前面開口部を構成している周側壁中の対向する状態に位置している側壁部分(２)(３)に組み込まれている挟持片(４)を具備しており、
挟持片(４)は、ボックスの側壁面から進出する姿勢とボックスの側壁面内に退入する姿勢とに切換可能かつ、側壁面に沿って前後移動可能に前記側壁部分(２)(３)に組み込んであり、進出姿勢と退入姿勢とはそれぞれの位置を保持され、
ボックス本体部分(１)に装着した配線器具と挟持片(４)とを器具取付け用ねじ(13)で連結し、器具取付け用ねじ(13)の作動で挟持片(４)に挟持力を付与してボックス本体部分(１)を壁パネル(Ｐ)に装着固定できるように構成したことを特徴
とする配線器具取付けボックス。
【請求項２】
ボックス本体部分(１)の前面開口部を構成している周側壁中の対向する状態に位置している側壁に、前端部を外向きに連出した鍔部で形成した受止め片(12)が形成されている請求項１に記載の配線器具取付けボックス。
【請求項３】
ボックス本体部分(１)が小判型のボックスであり、直線をなす壁面に受止め片(12)が形成され、弧状をなす壁面内に挟持片(４)が組み込まれている請求項２に記載の配線器具取付けボックス。
【請求項４】
ボックス本体部分(１)が直方体のボックスであり、長辺をなす壁面に受止め片(12)が形成され、短辺をなす壁面内に挟持片(４)が組み込まれている請求項２に記載の配線器具取付けボックス。
【請求項５】
挟持片(４)の進出姿勢と退入姿勢との切換えに寄与するガイドロツド(７)が挟持片(４)を前後移動させる際のガイドになっている請求項１から４のいずれか１項に記載の配線器具取付けボックス。
【発明の詳細な説明】
【技術分野】
【０００１】
本発明は、コンセントやスイッチ等の配線器具を合板や石膏ボード等の壁材に取り付ける配線器具器具取付けボックスに関し、特に、壁材に形成した配線器具取付け孔に配線器具を後付で設置固定する配線器具器具取付けボックスに関する。
【背景技術】
【０００２】
パネル壁材に形成した配線器具取付け孔に表から挿入し、配線器具取付けボックスの一部を押圧片として配線器具取付け孔周縁のパネル壁材裏面に当接させるとともに、配線器具取付けボックスの表側に形成されている受け止め部を配線器具取付け孔周縁のパネル壁材の表面に当接させ、押圧片と受け止め部とでパネル壁材を挟持するようにした配線器具取付けボックスは、従来から多数のものが提案されている。
【０００３】
例えば、特許文献１には、配線器具取付け孔の周縁壁面に当接する枠本体と、この枠本体から裏面側に突出しているガイド杆と、ガイド杆に沿って前後移動可能な挟持片と、枠本体の表側から操作可能な挟持片を前後作動させる操作ボルトで構成し、枠本体と挟持片とでパネル壁材を挟持し、枠本体に配線器具を固定するものが開示されている。
【０００４】
また、特許文献２には、一面を開放状に形成したボックス体の対向する状態に位置している側壁の端部にパネル壁材に当接する受止め片を形成し、受止め片を形成していない側壁に沿って作動ボルトを位置させ、その作動ボルトに挟持片を螺合させ、作動ボルトの回転に伴い、挟持片を進退させて、前記受止め片と進退する挟持作動ボルト片とでパネル壁材を挟持するようにし、ボックス体に配線器具を固定するものが開示されている。
【先行技術文献】
【特許文献】
【０００５】
【特許文献１】特開平１０−２２４９３９号公報
【特許文献２】特開２０１１−３０３７２号公報
【発明の概要】
【発明が解決しようとする課題】
【０００６】
前記した両固定手段は、いずれも作動ボルトを回転操作して、挟持片を作動ボルトの軸線に沿って移動させ、配線器具取付け孔に装着した枠本体あるいはボックス体の対向する側壁に形成し受止め片と、移動する挟持片とでパネル壁材を挟持するものである。そして、両先行技術での挟持片は、枠本体から壁材の奥方向に突出しているガイド杆あるいは、ボックス体の奥端よりに組み付けられていることから、配線器具取付けボックスあるいは配線器具取付け枠体を配線器具取付け孔に装着固定する際には、少なくとも一対の作業ボルトを操作して、挟持片を作業ボルトのほぼ全長にわたって移動させることになるから、作業性が悪いという問題を有していた。
【０００７】
本発明は、配線器具器具取付けボックスの壁材への設置を効率よく行えるようにすることを目的とする。
【課題を解決するための手段】
【０００８】
上述の目的を達成するために、請求項１に記載の本発明は、家屋等の建築構造物の間仕切り壁や壁を構成する壁パネルに形成した配線器具取付け孔に装着固定される配線器具取付けボックスであって、
前面を開放状に形成した箱形のボックス本体部分と、このボックス本体部分の前面開口部を構成している周側壁中の対向する状態に位置している側壁部分に組み込まれている挟持片を具備しており、
挟持片は、ボックスの側壁面から進出する姿勢とボックスの側壁面内に退入する姿勢とに切換可能かつ、側壁面に沿って前後移動可能に前記側壁部分に組み込んであり、進出姿勢と退入姿勢とはそれぞれの位置を保持され、
ボックス本体部分に装着した配線器具と、挟持片とを器具取付け用ねじで連結し、器具取付け用ねじの作動で挟持片に挟持力を付与してボックス本体部分を壁パネルに装着固定できるように構成したことを特徴としている。
【０００９】
請求項２に記載の本発明は請求項１に記載の構成に加えて、ボックス本体部分の前面開口部を構成している周側壁中の対向する状態に位置している側壁に、前端部の前端部を外向きに連出した鍔部で形成した受止め片が形成されていることを特徴としている。
【００１０】
請求項３に記載の本発明は請求項２に記載の構成に加えて、ボックス本体を小判型のボックスに形成し、直線をなす壁面に受止め片を形成されするとともに、弧状をなす壁面に挟持片を組込んだことを特徴としている。
【００１１】
請求項４に記載の本発明は請求項２に記載の構成に加えて、ボックス本体が直方体のボックスであり、長辺をなす壁面に受止め片が形成され、短辺をなす壁面に挟持片が組込んだことを特徴としている。
【００１２】
請求項５に記載の本発明は請求項１乃至４のいずれか１項に記載に加えて、挟持片の進出姿勢と退入姿勢との切換えに寄与するガイドロッドが挟持片を前後移動させる際のガイドになっていることを特徴としている。
【発明の効果】
【００１３】
本発明では、前面を開放状に形成した箱形のボックス本体部分と、このボックス本体部分の前面開口部を構成している周側壁中の対向する状態に位置している側壁部分に組み込まれている挟持片を具備しており、挟持片は、ボックスの側壁面から進出する姿勢とボックスの側壁面内に退入する姿勢とに切換可能かつ、側壁面に沿って前後移動可能に前記側壁部分に組み込んであり、進出姿勢と退入姿勢とは切換バネによりそれぞれの位置を保持され、かつボックス本体部分に装着する配線器具を止めつける固定ねじを挟持片に係合させて固定ねじの作動で挟持片に挟持力を付与して挟持片を前進移動させることにより、ボックス本体部分を壁パネルに装着固定できるように構成してあることから、工具を用いることなく手指で挟持片をボックス本体部分の周側壁から進出する姿勢に切り替えることができるうえ、挟持片を壁パネルの裏面と当接する位置まで手指で移動させることができ、ボックス本体部分配置した配線器具を取り付ける固定用ねじの操作で挟持片に挟持力を付与して、ボックス本体部分を壁パネルに確りと装着固定することができる。
【図面の簡単な説明】
【００１４】
【図１】本発明にかかる配線器具取付けボックスの基本状態での斜視図である。
【図２】配線器具取付けボックスの基本状態での正面図である。
【図３】挟持片がボックスの側壁面から突出した姿勢での斜視図である。
【図４】挟持片をボックス前面側に移動させた状態での斜視図である。
【図５】壁パネルへの固定手順を示す説明図である。
【発明を実施するための形態】
【００１５】
この配線器具取付けボックスは、ボックス本体部分(１)を基本形状前面開放状小判型に形成してあり、円弧状に形成された上下側壁部(２)(３)にそれぞれ挟持片(４)が組み込んである。
【００１６】
この挟持片(４)は、ボックス本体部分(１)の外寄りに位置する当接部(５)と、ボックス本体部分(１)の内寄りに位置する基板部分(６)とからなり、この基板部分に後述するガイドロッド(７)を挿入する貫通孔(８)が透設してある。
【００１７】
この貫通孔(８)は開口断面を長円形に形成してある。また、ガイドロッド(７)はリップ溝型鋼の断面形状をなしており、底辺部分を構成している直線部分(７ａ)が前記貫通孔(８)内を貫通し、開口側端部に位置するリップ部分(７ｂ)をボックス本体部分(１)の肉壁に支持させることで、ガイドロッド(７)をリップ部分(７ｂ)を揺動支点として揺動自在に支持させている。
【００１８】
このように、挟持片(４)をガイドロッド(７)を介してボックス本体部分(１)に支持させることで、挟持片(４)は立上り壁(５)が上下円弧面から外側に突出する進出姿勢と、上下円弧面の内周面内に収まる退入姿勢とに切換え可能、かつ、前後方向に直線移動可能な状態でボックス本体部分(１)の上下側壁部(２)(３)に組み込まれることになる。
【００１９】
また、挟持片(４)の基板部分(６)には進出姿勢にある状態で、ボックス本体部分(１)の上下側壁部(２)(３)に形成したねじ挿入孔(９)と同芯となる状態でねじ係合孔(10)が形成してある。
【００２０】
このように組み込まれている挟持片(４)は、基板部分(６)を手指で内側から外側に押すことにより、図３に示すように、ガイドロッド(７)を揺動させながらの退入姿勢から進出姿勢に変位する。この時、ガイドロッド(７)の揺動に伴うガイドロッド(７)の横方向への位置変位は、開口断面形状を長円形に形成した貫通孔(８)内を移動することで吸収される。また図４に示すように、基板部分(６)を手指で奥から手前に移動させることで、挟持片(４)をガイドロッド(７)に沿ってボックス本体部分(１)の前面側にスライド移動させることができる。
【００２１】
なお、ボックス本体部分(１)で対向する状態に位置している直線状側壁(11)(11)には、その前端部を外向きに連出した鍔状の受止め片(12)が形成してある。
【００２２】
図中符号(13)は、ボックス本体部分(１)のねじ挿入孔(９)を貫通して挟持片(７)に形成したねじ係合孔(10)に係合する器具取付け用ねじである。
【００２３】
図５は、本発明にかかる配線器具取付けボックスの壁パネルへの固定手順を示す。
壁パネル(Ｐ)に形成した配線器具取付け孔(Ｈ)に、挟持片(４)を退入姿勢に保持したボックス本体部分(１)を挿入する(図５ａ)。壁パネル(Ｐ)の配線器具取付け孔(Ｈ)に挿入したボックス本体部分(１)の内側から手指により、上下の挟持片(４)を外側に押し出し操作して、両挟持片(４)を退入姿勢から、進出姿勢に切り替える(図５ｂ)。
【００２４】
次いで、進出姿勢にある両挟持片(４)を手指を使用して、壁パネル(Ｐ)の裏面と軽く当接する位置まで前面側にスライド移動させる(図５ｃ)。挟持片(４)が壁パネル(Ｐ)の裏面と軽く当接すると、コンセントやスイッチ等の配線器具(Ｇ)をねじ挿入孔(９)にセットして器具取付け用ねじ(13)をねじ挿入孔(９) 貫通して挟持片(７)のねじ係合孔(10)に係合させ(図５ｄ)、器具取付け用ねじ(13)を締め付けることで、ボックス本体部分(１)は受止め片(12)と挟持片(４)とでしっかりと壁パネル(Ｐ)を挟持するとともに、配線器具(Ｇ)をボックス本体部分(１)に固定することができる(図５ｅ)。
【００２５】
上記の実施態様では、ボックス本体部分(１)を前面開放状小判型に形成したもので説明したが、ボックス本体部分(１)の形状は、前面開放状の直方体ボックスであってもよい。
【産業上の利用可能性】
【００２６】
本発明は、間仕切りなどの壁パネルに配線器具を後付で設置固定する取り付ける際に有利である。
【符号の説明】
【００２７】
１…ボックス本体部分、２・３…ボックス本体部分側壁部分、４…挟持片、７…ガイドロツド、12…受止め片、13…器具取付け用ねじ、Ｐ…壁パネル、Ｈ…配線器具取付け孔。
【図１】
2017079494.tif 000003
【図２】
2017079494.tif 000004
【図３】
2017079494.tif 000005
【図４】
2017079494.tif 000006
【図５】
2017079494.tif 000007